(57)【要約】【課題】  本発明は、イカ釣り仕掛けの装着及び投入が簡単で、イカ釣り仕掛けの取込み途中でも投入でき、しかもイカ釣り仕掛けの絡みや損傷を防止することを課題とする。【解決の手段】  上記課題を解決する手段として、並列に固定された各有底パイプ内に装着されたイカ釣り仕掛けのイカ角を順次投入するため、有底パイプの開口側上方向にローラーを設置して、錘を投入することによって生じる幹糸及びハリスに伝わる下向きの力を、上向きに転換して、イカ角を有底パイプから引き出して、ローラーを介して、海中に投入する構造とする。【選択図】  図１
2006345845.tif 000002
【特許請求の範囲】
【請求項１】
イカ角を装着する複数の有底パイプを並列に固定することができる部材１と一体となすイカ角誘導板２及び側板兼ローラー支持部３を設け、これにローラー４を取り付けたイカ角投入器の補助具
【請求項２】
前記補助具をイカ角を装着する複数の有底パイプ５の開口側上部に取り付け、有底パイプを並列に固定するための部材６を有底パイプの底付近に取り付けたイカ角投入装置
【発明の詳細な説明】
【技術分野】
【０００１】  本発明は、イカ釣り仕掛けの装着及び投入が簡単で、イカ釣り仕掛けの絡みや損傷を防止したイカ角投入装置に関する。
【背景技術】
【０００２】  従来から、イカ釣り用の仕掛けであるイカ角を順次投入するための器具は、図２に示したように、複数本の有底パイプを並列に連設した器具を開口側を上にして、船縁に斜めになるよう設置し、それぞれのパイプ内にイカ角を順次落とし込み、これに引かれハリス、幹糸が順次挿入されて装着を完了する。そして錘を前方上向きに投げ込むことによって、順次イカ角が、幹糸、ハリスに引かれて投入される構造になっている。
この背景技術の器具は、イカ釣り仕掛けの装着が簡単で、船の移動時の強風等による影響をイカ釣り仕掛けが受けず、糸絡みを起こしにくいので、一般的に利用されている。
【発明の開示】
【発明が解決しようとする課題】
【０００３】  前記の背景技術の図２に示したものは、並列した有底パイプの開口側を上にし、船縁に斜めに設置して、個々のパイプ内にイカ角を順次落とし込み、これに引かれハリス、幹糸が順次挿入されて装着を完了し、錘を斜め上向きになるよう投げ上げて、順次イカ角を投入しようとするものである。しかし、イカ釣り仕掛けの投入には、常に一定の方向と速度で錘を海に投げ込まなければならず、使用側にも技術が必要になる。また、波による船の上下運動や風による影響をイカ釣り仕掛けが受けるため、なれた人でもイカ釣り仕掛けの飛行方向と速度が変化して、隣の釣り人前方に投げ込んで糸絡みを起こしたり、図３のようにイカ角がパイプに引っかかり、止まってしまうことがある。こうなるとハリスが切れてしまう場合もある。【０００４】  さらに、イカ角を海中から取り込んで、そのままパイプ内に順次イカ角を落とし込んで装着して行き、取り込んでいない数本の海中のイカ角にイカが掛かって無いことが分かっても、そのまま落とすと図３のようにイカ角が引っかかるので、仕掛けを降ろすことができず、イカ角を全て取り込みパイプに落とし込まないと投入ができない。
したがって、本発明は、イカ釣り仕掛けの装着及び投入が簡単で、イカ釣り仕掛けの取込み途中でも投入でき、しかもイカ釣り仕掛けの絡みや損傷を防止することを課題とする。
【課題を解決するための手段】
【０００５】  上記課題を解決する手段として、並列に固定された各有底パイプ内のイカ角を順次投入するため、図４に示すとおり、有底パイプの上方向にローラーを設置して、錘を投入することによって生じる幹糸に伝わる下向きの力を、上向きに転換して、イカ角を有底パイプから引き出し、ローラーを介して海中に投入する構造とした。【０００６】  そして、有底パイプからイカ角が引き上げられ、風又はイカ角の重力等によって起こる振り子運動を防止し、幹糸等にイカ角が掛からなくするため、イカ角誘導板を設ける。【０００７】  前記イカ角誘導板に風及び船の傾斜等によって、イカ角及び幹糸がローラーから外れないようにするため、側板兼ローラー支持部を設ける。
【発明の効果】
【０００８】  図２に示した従来技術の複数本の有底パイプを並列に連設した器具は、イカ角をパイプ内に落とし込むだけで装着でき、また、装着時はイカ角、ハリス、幹糸がパイプ内に収納されているため、船の移動時の強風や振動の影響を受けないので、糸絡みがないなどの利点をそのまま活用することができる。【０００９】  本器のローラーの前方に錘を落とすだけで、並列に固定された各パイプ内のイカ角が幹糸に引き上げられ、順次容易かつ円滑に海中に投入できる。【００１０】  本器の前方であれば、錘を離れた位置に投げ、或いは直下に降ろしても仕掛けを投入することができ、投入位置を選択して、糸絡みを防止することができる。【００１１】  イカ角の投入の際に幹糸、ハリス、イカ角針に負担及び損傷をほとんど与えない。【００１２】  イカ角を海中から取り込み、そのままパイプ内に順次イカ角を落とし込んで装着していき、取り込んでいない数本の海中のイカ角にイカが掛かって無いことが分かった場合、即座にイカ釣り仕掛けを投入することができ、手返しを早くできる。
【発明を実施するための最良の形態】
【００１３】  以下、この発明を実施するための最良の形態を図１及び図４自図６至に示し、説明する。
イカ角を装着する複数の有底パイプを並列に固定することができる部材１は、非浸透性のプラスチック性で図５に示すとおり、部材１ａと部材１ｂで有底パイプ５を前後から挟み込む構造とし、ネジで締めて固定する。海側の部材１ａは、イカ角誘導板２及び側板兼ローラー支持部３が一体的部材になっている。
イカ角誘導板２及び側板３内側の表面の加工は、薄いステンレス又は、耐蝕アルミ板を接着剤でプラスチック板に貼り付け、イカ角針が滑り易い構造にする。【００１４】  側板兼ローラー支持部３に図６に示すとおり、ローラー４を取り付ける。取り付けの位置は、有底パイプ５の海側がイカ角誘導板２に接し、イカ角誘導板２の船側の面の延長線上にローラー４の船側の端が一致するようにする。【００１５】  ローラー４は、回転しやすいように軽量化し、表面を耐蝕アルミ管４ａとし、その内側はプラスチック性の筒４ｂとし、大部分は空洞にする。そしてローラーの左右先端は、側板兼ローラー支持部３の内側面より、外側に数ミリくい込むように取り付け、幹糸及びハリスがローラー４の端によっても外れない構造とする。
回転軸４ｃには、回転をスムーズにし、幹糸等の負担を軽減するため、ボールベアリング４ｄを設ける。
ボールベアリング４ｄの給油等の管理点検を容易にするため、左右どちらかの一方をローラー支持部３の軸受け部材３ａをネジで脱着可能な構造とする。【００１６】  有底パイプ５は、ブラック加工の耐蝕アルミを用い，有底パイプ７本の開口側上部に部材１ａと部材１ｂで挟み、ネジで締めて固定する。
上部部材を補強するため、有底パイプ５を平行に固定する部材６をパイプ底付近に設ける。
この部材はプラスチック製で有底パイプ５を挟み、ネジで締めて固定する。【００１７】  有底パイプ開口部先端からローラー回転軸中心までの有底パイプを垂直に立てたときの高低差は、通常市販されている最長のイカ角の長さ１８０ミリメートルとする。【００１８】  竿と本イカ角投入装置との間に幹糸にハリスで繋がれたイカ角を１・２本下げる場合があり、これらイカ角の重みによってパイプ内に落とし込まれたイカ角が持ち上げられないよう、有底パイプ５を固定するための部材１に糸止め７を設ける。
糸止め７は、ロットホルダー等に付いている円形の一般的なものでよい。
【図面の簡単な説明】
【００１９】
【図１】イカ角投入装置、上に平面図、中央左に正面図、右に側面図、側面図左船側、側面図右海側
【図２】背景技術のイカ角を順次投入するための器具の斜視図
【図３】図２の背景技術の説明図、パイプ中央で切断し、側面から見た断面図、図右側海
【図４】本件原理説明図、図１の正面図を中央で切断し、側面から見た断面図、図右側海
【図５】イカ角投入器の補助具の正面斜上からの斜視図
【図６】ローラー支持部の側面図、断面図
【符号の説明】
【００２０】  １    複数の有底パイプを並列に固定することができる部材
１ａ  複数の有底パイプを並列に固定することができる部材海側
１ｂ  複数の有底パイプを並列に固定することができる部材船側
２    イカ角誘導板
３    側板兼ローラー支持部
３ａ  ローラー支持部の軸受け部材
４    ローラー
４ａ  耐蝕アルミ管
４ｂ  プラスチック性の筒
４ｃ  ローラー回転軸
４ｄ  ボールベアリング
５    有底パイプ
６    有底パイプを並列に固定することができる部材
７    糸止め
８    イカ角
９    ハリス
１０    幹糸
１１    錘
１２    船縁
【図１】
2006345845.tif 000003
【図２】
2006345845.tif 000004
【図３】
2006345845.tif 000005
【図４】
2006345845.tif 000006
【図５】
2006345845.tif 000007
【図６】
2006345845.tif 000008
【手続補正書】
【提出日】平成18年1月10日(2006.1.10)
【手続補正１】
【補正対象書類名】特許請求の範囲
【補正対象項目名】請求項２
【補正方法】変更
【補正の内容】
【請求項２】
請求項１に記載の補助具をイカ角を装着する複数の有底パイプ５の開口側上部に取り付け、有底パイプを並列に固定するための部材６を有底パイプの底付近に取り付けたイカ角投入装置